(57)【特許請求の範囲】
【請求項１】
取付け体(15)の取付け孔(15a) に挿着してある支持部材(2) と、この支持部材に挿着される連結板(3) とからなり、
上記支持部材は弾性質の合成樹脂により一体成形されたもので、
上記支持部材には位置決め用のフランジ部(21,21) が突設してあり、
上記支持部材の前方部(22)の前端面には挿入口(24)が開口し、この前方部の表面には前方に向けて低く傾斜しているテーパ面を有するストッパ用突起(25,25) が形成してあり、
上記支持部材の上記フランジ部の後方には挟持板(23,23) を有し、この挟持板の内面には係止爪(26,26) が形成してあり、
上記連結板の先端部(32)には係止孔(33)が開設してあり、
上記連結板の上記先端部は、上記支持部材の挿入口(24)から挿入可能でありかつ上記挟持板間の弾性力に抗して摺動可能であり、
上記連結板の上記係止孔(33)は上記支持部材の上記係止爪(26)に係止可能であり、
上記ストッパ用突起(25,25)は、上記連結板(3)の先端部(32)の上記支持部材(2)内への挿入途中において外方に変形し、上記取付け体(15)の上記取付け孔(15a)からの離脱を防止する
ことを特徴とする扉などの連結構造。
【請求項２】
取付け体(150) の取付け孔(150a)に挿着してある支持部材(20)と、この支持部材に挿着される連結板(30)とからなり、
上記支持部材は弾性質の合成樹脂により一体成形されたもので、
上記支持部材には位置決め用のフランジ部(210) が突設してあり、
上記支持部材の後端面には挿入口(240) が開口し、
上記支持部材の前方には挟持板(230,230) を有し、
上記支持部材の上記挟持板の表面には前方から後方に向けて高く傾斜しているテーパ面を有するストッパ用突起(250,250) が形成してあり、
上記挟持板の内面には係止爪(260,260) が形成してあり、
上記連結板には係止孔(330) が開設してあり、
上記連結板は上記支持部材の挿入口(240) から挿入可能であり、かつ上記挟持板間の弾性力に抗して摺動可能であり、
上記連結板の上記係止孔は上記支持部材の上記係止爪(260) に係止可能であり、
上記ストッパ用突起(250,250)は、上記連結板(30)の上記支持部材(20)内への挿入途中において外方に変形し、上記取付け体(150)の上記取付け孔(150a)からの離脱を防止する
ことを特徴とする扉などの連結構造。
【発明の詳細な説明】
【０００１】
【発明の属する技術分野】
本発明は、２つの部材、例えばキャビネット、物置などの収納体とこの収納体の前面開口部に取付ける扉とを連結する構造、机の天板と脚部との連結構造、２つの書庫を相互に連結する構造として適用できる連結構造に関する。
【０００２】
【従来の技術】
従来から、例えば物置の前面開口部には、ヒンジによる回転扉、引違い扉、ガラス扉など各種の扉が取付けてあるもの、またはこの前面開口部をオープンにして扉のないものもある。そして、物置に取付ける回転扉、引違い扉、ガラス扉またはオープンにして扉のないものの仕様に対応した連結構造があり、このような連結構造は他の部材の連結構造としては利用できない。そのため、当然扉の種類に対応した多種類の連結構造とそれを取付けることのできる物置を在庫しておくことが必要となっていた。
【０００３】
【発明が解決しようとする課題】
そこで本発明の目的は連結構造に汎用性をもたせ、２部材のものを容易かつ敏速に連結することができる連結構造を提供することにある。
【０００４】
【課題を解決するための手段】
上記の問題点を解決するために、請求項１に記載した発明の特徴は、取付け体１５の取付け孔１５ａに挿着してある支持部材２とこの支持部材に挿着される連結板３とからなるものである。そして、上記支持部材は弾性質の合成樹脂により一体成形されたもので、上記支持部材には位置決め用のフランジ部２１，２１が突設してあり、上記支持部材の前方部２２の前端面には挿入口２４が開口し、この前方部の表面には前方に向けて低く傾斜しているテーパ面を有するストッパ用突起２５，２５が形成してあり、上記支持部材の上記フランジ部の後方には挟持板２３，２３を有し、この挟持板の内面には係止爪２６，２６が形成してある。
【０００５】
また、上記連結板の先端部３２には係止孔３３が開設してあり、上記連結板の上記先端部は、上記支持部材の挿入口２４から挿入可能でありかつ上記挟持板間の弾性力に抗して摺動可能であり、上記連結板の上記係止孔３３は上記支持部材の上記係止爪２６に係止可能である。そして上記ストッパ用突起(25,25)は、上記連結板(3)の先端部(32)の上記支持部材(2)内への挿入途中において外方に変形し、上記取付け体(15)の上記取付け孔(15a)からの離脱を防止するところにある。
【０００６】
請求項２に記載した発明の特徴は、取付け体１５０の取付け孔１５０ａに挿着してある支持部材２０とこの支持部材に挿着される連結板３０とからなる構成は、請求項１記載の発明と同一構成である。そして、上記支持部材は弾性質の合成樹脂により一体成形されたもので、上記支持部材には位置決め用のフランジ部２１０が突設してあり、上記支持部材の後端面には挿入口２４０が開口し、上記支持部材の前方には挟持板２３０，２３０を有し、上記支持部材の上記挟持板の表面には前方から後方に向けて高く傾斜しているテーパ面を有するストッパ用突起２５０，２５０が形成してあり、上記挟持板の内面には係止爪２６０，２６０が形成してある。また、上記連結板には係止孔３３０が開設してあり、上記連結板は上記支持部材の挿入口２４０から挿入可能であり、かつ上記挟持板間の弾性力に抗して摺動可能であり、上記連結板の上記係止孔は上記支持部材の上記係止爪２６０に係止可能である。そして上記ストッパ用突起(250,250)は、上記連結板(30)の先端部(320)の先端部(320)の上記支持部材(20)内への挿入途中において外方に変形し、上記取付け体(150)の上記取付け孔(150a)からの離脱を防止するところにある。
【０００７】
全文削除。
【０００８】
【発明の実施の形態】
図面を参照して本発明の実施例を説明すると、この実施例では、図１、図２に示すように収納体である物置１の前面開口部に両開き扉Ｄをヒンジ結合させて開閉自在に取付けてある構成である。物置１を構成する板状部材は両側板１１，１１と天井板１２と背面板１３及び底板１４（図２）とから構成され、この天井板１２の両端部及び底板１４の両端部には、本発明にかかる扉の連結構造が設置してあり、この連結構造を介して扉Ｄが物置１に開閉自在にヒンジ結合されているものである。
【０００９】
ところで、図１の天井板１２の一端部Ａに装着してある連結構造について説明すると、この連結構造は、支持体である天井板１２に予め装着してある支持部材２とこの支持部材に装着される扉を連結させるための連結板であるヒンジ板３とから構成されているもので、この支持部材２とヒンジ板３とのそれぞれの詳細な構成について次に説明する。
【００１０】
先ず、支持部材２の構造は図３に示すように全体的に中空のブロック状で、弾性質の合成樹脂により一体成形されたもので、左右両側に位置決め用のフランジ部２１，２１を突設し、このフランジ部の前方が前方部２２となっており、このフランジ部の後方が上下二枚の挟持板２３，２３になっている。この前方部２２の前端面には挿入口２４が開口し、この前方部の上下両面の対称位置には、前方に向けて傾斜しているテーパ面を有するストッパ用突起２５，２５が形成してある。
【００１１】
両挟持板２３，２３の構成は図５、図６に示すように、この両挟持板の内面の中央部には上下対称位置関係で係止爪２６，２６が形成してあり、挿入口２４からこの係止爪に至る板厚状態は、図９に示すように挿入口が最も肉薄で、次第に肉厚になってこの係止爪の個所が最も肉厚に形成してある。
【００１２】
次にヒンジ板３の構造について、図４、図８を参照して説明すると、このヒンジ板の基端部（図４の左方）３１には、ヒンジ結合用の支持部である支持ピン４を垂設し、逆方向に延出している先端部（図８上方）３２には、係止孔３３が開設してある。また、ヒンジ板３の平面形状は、図８に示すように左側面は二段階状に形成してあり、最も狭い幅になっている先端部３２の幅は支持部材２の挿入口２４から挿入され、挟持板２３，２３間を貫通できる長さである。そして、これより広い幅の中間部３４は挿入口２４の開口端部に当接し、先端部３２の支持部材内への侵入長を規制している。また、係止孔３３の横幅は、支持部材２の挟持板２３，２３の係止爪２６，２６が上下両方から侵入し、これに係止可能な長さである。また、ヒンジ板３の厚さについては、挿入口２４から支持部材２内に挿入可能なものでなければならないが、詳細は後で支持部材２への挿着時の作業と共に説明する。
【００１３】
そこで、ヒンジ板３を支持部材２に挿着する操作について、図４、図８、図９（Ａ）〜（Ｃ）を参照して説明する。
【００１４】
天井板１２の先端部内面には取付け板１５が溶着してあり、この取付け板の所定位置には取付け孔１５ａが開口してある。図９（Ａ）において、支持部材２の前方部２２を、この図面の右方から左方に向けて取付け板１５の取付け孔１５ａ内に押圧しながら強制的に挿入させると、この支持部材の上下両面に突設してあるストッパ用突起２５，２５はこの取付け孔を貫通し、貫通した状態で停止する。それは、この状態になった時にフランジ部２１，２１の前端面が取付け板１５の内側面に当接し、それ以上の挿入を不可能にする位置決めされた状態になるからである。
【００１５】
そこで、ヒンジ板３の先端部３２を、この図面の左方から右方に向けて支持部材２の挿入口２４内に挿入する。この時、図９（Ａ）に示すようにヒンジ板３の先端部３２の先端の上下の角部が、支持部材２の傾斜している内面を摺動し、挟持板２３，２３の弾性力に抗しながら侵入する。このとき、この挿入により支持部材２が取付け孔１５ａから右方向に抜けて離脱する恐れがあるが、ヒンジ板の先端部３２の厚さは、ストッパ用突起２５，２５に対応する位置に到達した段階で、前方部２２、つまりこの突起を外方に最も大きく変形させる厚さになっているため、この突起２５，２５は取付け板１５の取付け孔１５ａの前面に強く係止し、支持部材２を取付け孔１５ａから離脱することは確実に防止する。さらに、ヒンジ板３の先端部３２を挿入させると、図９（Ｂ）に示すように、このヒンジ板の先端部は二枚の挟持板２３，２３を相互に開く方向に押し広げるように変形させ、この両挟持板の間を貫通しながら次第に右方向に侵入していく。そして、遂には、図９（Ｃ）に示すように挟持板２３，２３は自己の弾性的復元力により元位置に復帰するため、ヒンジ板３の係止孔３３には支持部材２の係止爪２６，２６が係止し、このヒンジ板は支持部材２からの引き抜きは不可能となる。このようにヒンジ板３は、支持部材２にワンタッチで容易に挿着できる。
【００１６】
現実の本発明の実施は、工場内において、支持部材２を天井板１２の取付け板１５、及び底板１４の取付け板１６（図２）に予め挿着してある。そして、ユーザのところに物置１を搬入した後、この物置に扉Ｄを取付ける。この作業では、先ず、扉Ｄの下部をヒンジ結合させる作業に取掛かるが、これは底板１４の取付け板１６に予め挿着してある支持部材２にヒンジ板３の先端部３２を挿着する。そして、この底板１４の前端面から前方に突出しているヒンジ板３の基端部３１の上面に突設してある支持ピン４に扉Ｄの軸孔を嵌合させる。次に、扉Ｄの上部をヒンジ結合させるヒンジ板３の支持ピン４をこの扉の上端面にある軸孔に嵌合させ、このヒンジ板の先端部３２を天井板１２に挿着している支持部材２の挿入口２４に挿入し、そのまま係止孔３３に係止爪２６が係止するまで挿着すれば、扉Ｄはワンタッチで物置１に取付けることができる。
【００１７】
上記の実施例では両開き扉を収納体１に取付ける構成であったが、その他の扉、例えば引違い扉の場合は扉枠を収納体に連結するもので、その場合にはヒンジ板に換えて係止部を有する連結板を使用すればよい。
【００１８】
図１０には２つの書庫を連結板３Ａにより連結した構造を示すもので、この書庫にはそれぞれ支持部材２，２が、前記の実施例と同一作業により挿着してあり、この支持部材に連結板３Ａの両先端部３２Ａを挿入することにより２つの書庫は連結してある。
【００１９】
次に、図１１〜１３を参照して他の実施例を説明する。前記した実施例では支持部材２は取付け体１５の内方から前方に向けて、つまり図４では支持部材２は右方から左方に向けて取付け体１５の取付け孔１５ａに挿入されるものであるが、この実施例では、逆に支持部材２０を前方から後方に向けて挿着することができるものである。
【００２０】
連結構造の全体構造は図１２、図１３に示してありように、２つの支持部材２０，２０は２つの書庫のそれぞれに設けてある取付け体１５０の取付け孔１５０ａに挿着してあるもので、この支持部材には連結板３０が挿着され２つの書庫を連結している。
【００２１】
支持部材２０は弾性質の合成樹脂により一体成形されたもので、図１１に示すようにこの支持部材の後端部には位置決め用のフランジ部２１０が突設してあり、この後端面には挿入口２４０が開口し、この挿入口の両端には連結板３０のストッパ３４０（図１３）が嵌入する溝部２４１，２４１が形成してある。また、支持部材の前方（図１１の右上方）には上下２枚の挟持板２３０，２３０が一体的に形成してあり、この挟持板の表面には前方から後方に向けて高く傾斜しているテーパ面を有するストッパ用突起２５０，２５０が上面と下面に対称位置関係で形成してある。このストッパ用突起２５０の突出した頂部とフランジ部２１０の背面との間隙は、図１２に示すように取付け体１５０の取付け孔１５０ａの縁部に嵌合可能なものである。図１２に示すように、挟持板２３０，２３０の内面には係止爪２６０，２６０が形成してある。また、連結板３０の先端部３２０には係止孔３３０が開設してあり、この連結板の先端部３２０は、支持部材２０の挿入口２４０から挿入可能であり、かつ上記挟持板間の弾性力に抗して摺動可能であり、連結板３０の係止孔３３０は支持部材２０の係止爪２６０に係止可能である。そして、この係止孔３３０が係止爪２６０に係止した状態では、連結板３０のストッパ３４０が支持部材２０の溝部２４１に嵌合し、そのためこの連結板はそれ以上支持部材２０内に挿入することは制御され不可能となる。
【００２２】
したがって、この実施例では取付け体１５０の取付け孔１５０ａから内方に向けて支持部材２０を挿入し、そのフランジ部２１０がこの取付け孔の前端面に当接するまで挿入する。この挿入時は取付け孔１５０ａの内面をストッパ用突起２５０が挟持部２３０，２３０を収縮する方向に変形させながら挿入し、このストッパ用突起とフランジ部２１０との間で取付け孔１５０ａに嵌合し挿着する。そこで、連結板３０の一方の先端部３２０を支持部材２０の挿入口２４０から挿入すると、この先端部３２０の先端の上下の角部が、支持部材２０の傾斜している内面を摺動し、両挟持板２３０，２３０の弾性力に抗しながら侵入する。連結板３０の先端部３２０の厚さは、ストッパ用突起２５０，２５０に対応する位置に到達した段階で、この突起を外方に最も大きく変形させる厚さになっているため、この突起２５０は取付け板１５０の取付け孔１５０ａの前面に強く係止し、支持部材２０は取付け孔１５０ａに強固に固着する。そこで、連結板３０の先端部３２０を挿入させると、この連結板の先端部は二枚の挟持板２３０，２３０を相互に開く方向に押し広げるように変形させ、この両挟持板の間を貫通しながら次第に内方に侵入していく。そして、遂には、連結板３０の係止孔３３０には支持部材２の係止爪２６０，２６０が係止し、同時に挟持板２３０，２３０は自己の弾性的復元力により元位置に復帰するため、この連結板は支持部材２０からの引き抜きは不可能となり、同時にストッパ３４０が溝部２４１内に嵌入するためそれ以上の侵入は不可能となる。連結板３０の他方の先端部の挿入も前記と同様にして支持部材２０に取付けことができる。このようにした２つの書庫は容易に連結できる。
【００２３】
【発明の効果】
本発明によると、２部材の連結が容易かつ敏速に行なうことができ、そのため例えば収納体に各種の扉を容易かつ敏速に装着することができるため収納体に汎用性をもたせることができ、結果として収納体の製造コストのダウンに有効なものである。
【図面の簡単な説明】
【図１】  収納体の斜視図である。
【図２】  図１のａ−ａ線拡大断面図である。
【図３】  支持部材の斜視図である。
【図４】  図１のＡ部内の拡大断面図である。
【図５】  支持部材の背面図である。
【図６】  図５のｃ−ｃ線断面図である。
【図７】  図４のｂ−ｂ線拡大断面図である。
【図８】  図７のｄ−ｄ線断面図である。
【図９】  （Ａ），（Ｂ），（Ｃ）はヒンジ板を支持部材に挿着する状態を示す断面図である。
【図１０】  他の実施例における２つの部材を連結している構造を示す断面図である。
【図１１】  さらに他の実施例の支持部材を示す斜視図である。
【図１２】  図１１に示す支持体を使用して２つの部材の連結構造を示す断面図である。
【図１３】  図１２のｄ−ｄ線断面図である。
【符号の説明】
１        収納体（物置）
１２      取付け体（天井板）
１４      取付け体（底板）
１５      取付け体（取付け板）
１５ａ    取付け体（取付け孔）
２        支持部材
２１      フランジ部
２２      前方部
２３      挟持板
２４      挿入部
２５      ストッパ用突起
２６      係止爪
３        連結板（ヒンジ板）
３１      連結板の基端部
３２      連結板の先端部
３３      係止孔
４        支持部（支持ピン）
１５０    取付け体
１５０ａ  取付け孔
２０      支持部材
２１０    フランジ部
２３０    挟持板
２４０    挿入口
２５０    ストッパ用突起
２６０    係止爪
３０      連結板
３２０    連結板の先端部
３３０    係止孔
【図１】
0003863609.tif 000002
【図２】
0003863609.tif 000003
【図３】
0003863609.tif 000004
【図４】
0003863609.tif 000005
【図５】
0003863609.tif 000006
【図６】
0003863609.tif 000007
【図７】
0003863609.tif 000008
【図８】
0003863609.tif 000009
【図９】
0003863609.tif 000010
【図１０】
0003863609.tif 000011
【図１１】
0003863609.tif 000012
【図１２】
0003863609.tif 000013
【図１３】
0003863609.tif 000014